(57)【要約】【課題】  製造が容易であり、かつ、再生音質を改善することを図ったスピーカーシステムを提供する。【解決手段】  本発明のスピーカーシステムＡは、内部に空間を有する中空状の球形のスピーカーキャビネット１と、このスピーカーキャビネット１の正面内部に取り付けられたスピーカーユニット２と、スピーカーキャビネット１の背面外部に取り付けられた外部からの音声信号を入力してスピーカーユニット２へ伝達する入力端子３とを有し、スピーカーキャビネット１の内面には、スピーカーユニット２に対向する後方領域を未処理領域７として全体的にスピーカーキャビネット１の内部空間の中央個所を中心とする同心円状溝６が刻まれている。【選択図】図３
2019036932.tif 000002
【特許請求の範囲】
【請求項１】
内部に空間を有する中空状の球形のスピーカーキャビネットと、このスピーカーキャビネットの正面内部に取り付けられたスピーカーユニットと、前記スピーカーキャビネットの背面外部に取り付けられた外部からの音声信号を入力して前記スピーカーユニットへ伝達する入力端子とを有し、前記スピーカーキャビネットの内面には、前記スピーカーユニットに対向する後方領域を除いて全体的に前記スピーカーキャビネットの内部空間の中央個所を中心とする同心円状溝が刻まれていることを特徴とするスピーカーシステム。
【請求項２】
前記スピーカーキャビネットは、木製であることを特徴とする請求項１に記載したスピーカーシステム。
【発明の詳細な説明】
【技術分野】
【０００１】  本発明は、製造が容易であり、かつ、再生音質を改善することを図ったスピーカーシステムに関する。
【背景技術】
【０００２】  一般的なスピーカーシステムは、スピーカーユニットを取り付ける表板と、この表板に向かって側面方向に配置される左右の側板と、前記表板と対向するように前記側板に取り付ける裏板と、これら各板に取り付けられて内部空間を規定する天板および底板とを備える木製箱型（矩形）のスピーカーキャビネットにて構成されている。【０００３】  そして、前記スピーカーキャビネットに外部からの音声信号を前記スピーカーユニットへ伝えることで、前記スピーカーユニットが駆動されると、その反作用により前記スピーカーキャビネットを構成する前記各板が振動し、前記板から音が放射される。【０００４】  従って、前記スピーカーキャビネットは、それを構成する前記各板を構成する素材（木種や木質）、大きさ、形状、内部表面仕上げ、内部吸音材の装填などにより特定の固有振動数で振動することから、前記スピーカーキャビネットによって特有の音質を有することになる。【０００５】  斯かるスピーカーシステムでは、前記スピーカーユニットから再生される音に比べて前記各板から放射される音の音圧レベルが低いため、前記スピーカーシステムの再生音質を改善するために、特許文献１では、前記側板の形状に工夫がされており、すなわち、表面に複数の曲面を彫られて形成された鱗状表面を有し、あるいは、一部に放射線または楕円を含む曲線により非矩形形状を有する処理が施されている。
【先行技術文献】
【特許文献】
【０００６】
【特許文献１】特開２０１７−０９２５９８号公報
【発明の概要】
【発明が解決しようとする課題】
【０００７】  以上に述べた従来のスピーカーシステムでは、全体の形状が箱型（矩形）であるため、前記スピーカーユニットから放出された音が左右の前記側板の平行面による反射で前記スピーカーユニット内部に定在波を生じて音質へ悪い影響を及ぼすことが考えられ、この対策としての特許文献１にて開示の前記側板への特殊加工は、前記定在波に対する対策としては限定的であった。
【課題を解決するための手段】
【０００８】  本発明は、このような従来の構造が有していた問題を解決するために、内部に空間を有する中空状の球形のスピーカーキャビネットと、このスピーカーキャビネットの正面内部に取り付けられたスピーカーユニットと、前記スピーカーキャビネットの背面外部に取り付けられた外部からの音声信号を入力して前記スピーカーユニットへ伝達する入力端子とを有し、前記スピーカーキャビネットの内面には、前記スピーカーユニットに対向する後方領域を除いて全体的に前記スピーカーキャビネットの内部空間の中央個所を中心とする同心円状溝が刻まれていることを特徴とするものであり、特に、前記スピーカーキャビネットは、木製であることを特徴とするスピーカーシステムである。
【発明の効果】
【０００９】  内部吸音材の装填などの処理を必要としないことから製造が容易であり、かつ、音の反射による定在波の影響を大きく軽減することにより再生音質を改善することができるスピーカーシステムを提供することができる。
【図面の簡単な説明】
【００１０】
【図１】  本発明の実施形態の正面図である。
【図２】  同上実施形態の側面図である。
【図３】  同上実施形態の中央切断断面図である。
【図４】  同上実施形態のスピーカーキャビネットの内部写真である。
【図５】  図４の要部拡大写真である。
【発明を実施するための形態】
【００１１】  以下、本発明の実施の形態を図１〜図５に基づいて説明する。
【００１２】  図１〜図３において、１は、従来と同様な素材、あるいは、セラミックなどの非木製素材からなる内部に空間を有する中空状の球形のスピーカーキャビネット、２は、スピーカーキャビネット１の正面内部に取り付けられた１個のスピーカーユニット、３は、スピーカーキャビネット１の背面外部に取り付けられた外部からの音声信号を入力してスピーカーユニット２へ伝達する２個の入力端子、４は、スピーカーキャビネット１の底面外部に取り付けられた３個の設置脚、５は、スピーカーキャビネット１の下方内部に位置してスピーカーキャビネット１の内部と外部とを連通するバスレフダクトであり、以上がスピーカーシステムＡを構成している。
【００１３】  なお、スピーカーユニット２と入力端子３とは、スピーカーキャビネット１の内部において適宜の配線がなされているが、図面では省略している。
【００１４】  スピーカーキャビネット１は、中央で左右に二分割された状態で制作され、その際に、内面には、全体的に三味線の胴の部分に彫られている「綾杉」と称する「溝」に似た、スピーカーキャビネット１の内部空間の中央個所を中心とする同心円状溝６が刻まれている（図４、図５参照）。
【００１５】  なお、この同心円状溝６は、幅１〜２ミリ、深さ１〜２ミリ、間隔２〜３ミリの範囲で適宜選択することが望ましく、前記綾杉に限らず従来の「鱗状」でも良い。
【００１６】  また、スピーカーキャビネット１の内面には、スピーカーユニット２に対向する後方領域を除いて全体的に同心円状溝６が刻まれており、これにより、スピーカーキャビネット１のスピーカーユニット２に対向する後方内面は、スピーカーユニット２の取り付け面積と同じ面積について同心状溝６を有さない未処理領域７としている。
【００１７】  前記処理を行ったスピーカーキャビネット１は、入力端子３を取り付けて前記配線を行い、設置脚４やバスレフダクト５を取り付けた後に、接着剤により合体させて球形としている。
【００１８】  斯かるスピーカーシステムＡは、スピーカーキャビネット１が平行面を全く有さないことから、内部反射による定在波の発生を抑えることができ、音の反射を複雑にして前記定在波の影響を極力小さくすることができる。
【００１９】  これにより、従来必要とされている内部吸音材の装填などの処理を必要としないで済むものであり、製造が容易になるばかりでなく、前記定在波の影響をスピーカーキャビネット１の同心円状溝６が直接軽減することができるため、同心円状溝６による効果が発揮しやすい構造にすることができる。
【００２０】  このように、上述したスピーカーシステムＡは、従来にない斬新な構成により、スピーカーキャビネット２内部に発生する定在波、特にスピーカーユニット２の後方（背後）からの音の反射による影響を受けにくい構成となる。
【００２１】  なお、本発明は、前記実施形態に限定されないことは言うまでもなく、適宜その要旨の範囲内で変更することができるものである。
【符号の説明】
【００２２】  Ａ  スピーカーシステム
１  スピーカーキャビネット
２  スピーカーユニット
３  入力端子
４  設置脚
５  バスレフダクト
６  同心円状溝
７  未処理領域
【図１】
2019036932.tif 000003
【図２】
2019036932.tif 000004
【図３】
2019036932.tif 000005
【図４】
2019036932.tif 000006
【図５】
2019036932.tif 000007